(57)【要約】【課題】  壁面緑化の維持管理に手間やコストが掛かりにくいようにする。【解決手段】  構造物Ｂの一方側空間Ｖ１と他方側空間Ｖ２とを仕切る壁面部Ｗに、植栽自在な緑化部３を設けてある壁面緑化構造において、壁面部Ｗは、緑化部３が一方側空間Ｖ１に臨む第一状態と、他方側空間Ｖ２に臨む第二状態とに位置変更自在な状態変更手段１ａを介して構造物Ｂに取り付けてある。【選択図】        図２
2005068713.tif 000002
【特許請求の範囲】
【請求項１】
構造物の一方側空間と他方側空間とを仕切る壁面部に、植栽自在な緑化部を設けてある壁面緑化構造であって、
前記壁面部は、前記緑化部が前記一方側空間に臨む第一状態と、前記他方側空間に臨む第二状態とに位置変更自在な状態変更手段を介して前記構造物に取り付けてある壁面緑化構造。
【請求項２】
前記状態変更手段は、前記壁面部を縦軸芯周りに揺動自在に支持する揺動軸を備えて構成してある請求項１に記載の壁面緑化構造。
【請求項３】
前記揺動軸は、前記壁面部の幅の中央部に設けてあり、前記壁面部を表裏反転自在に支持している請求項２に記載の壁面緑化構造。
【請求項４】
前記状態変更手段は、前記壁面部を前記一方側空間か他方側空間の何れかにスライド自在に支持するスライド機構である請求項１に記載の壁面緑化構造。
【請求項５】
前記緑化部は、土を収容自在な容器部と、前記容器部に収容した植栽土とを備えて構成してある請求項１〜４の何れか一項に記載の壁面緑化構造。
【請求項６】
前記容器部は、底部分が傾斜させて形成してあり、傾斜下手側に、水抜き穴を形成してある請求項５に記載の壁面緑化構造。
【請求項７】
前記緑化部は、前記壁面部の表裏両面に各別に設けてある請求項１〜６の何れか一項に記載の壁面緑化構造。
【請求項８】
前記緑化部は、土を収容自在な容器部と、前記容器部に収容した植栽土とを備えて構成してあり、前記壁面部の表裏の各容器部は、連通状態に形成してある請求項７に記載の壁面緑化構造。
【請求項９】
前記壁面部は、ガラス窓である請求項１〜８の何れか一項に記載の壁面緑化構造。
【発明の詳細な説明】
【技術分野】
【０００１】
本発明は、一例を挙げれば、例えば建物の外壁面に緑化を図ってあると言った場合の壁面緑化構造に関し、更に詳しくは、構造物の一方側空間と他方側空間とを仕切る壁面部に、植栽自在な緑化部を設けてある壁面緑化構造に関する。
【背景技術】
【０００２】
従来、この種の壁面緑化構造としては、図７に示すように、壁面緑化用のパネル状ユニット２０を外壁Ｂの壁面部Ｗに固定したものがあった（例えば、特許文献１参照）。
【０００３】
【特許文献１】特開２００２−３３５７６５号公報（図２〜６）
【発明の開示】
【発明が解決しようとする課題】
【０００４】
上述した従来の壁面緑化構造によれば、緑化ユニットは、外壁面に固定されているから、人が緑化ユニットに簡単には近づけない状態となっていることが多く、水やりを実施し難い。特に、二階以上の建物の壁面緑化の場合は、作業足場を確保する必要があり、それでも危険性を考慮すると、人力で植栽物に水やりをすることは実質的に不可能であると言える。
その為に、水やり用の装置を別途用意する必要があったり、緑化ユニットそのものにも、水が廻り易い構造を採用する必要があり、壁面緑化のコストがかさむ問題点があった。  一方、緑化ユニットに人が近づけないことによる弊害は、水やりに限ったことだけでなく、植栽のメンテナンスについても同様で、この場合には、メンテナンス用の足場を構築する等、コストがかさむことに加えて緑化の維持管理に手間が掛かり易い。
【０００５】
従って、本発明の目的は、上記問題点を解消し、壁面緑化の維持管理に手間やコストが掛かりにくい壁面緑化構造を提供するところにある。
【課題を解決するための手段】
【０００６】
本発明の第１の特徴構成は、構造物の一方側空間と他方側空間とを仕切る壁面部に、植栽自在な緑化部を設けてある壁面緑化構造において、前記壁面部は、前記緑化部が前記一方側空間に臨む第一状態と、前記他方側空間に臨む第二状態とに位置変更自在な状態変更手段を介して前記構造物に取り付けてあるところにある。
【０００７】
本発明の第１の特徴構成によれば、前記壁面部は、前記緑化部が前記一方側空間に臨む第一状態と、前記他方側空間に臨む第二状態とに位置変更自在な状態変更手段を介して前記構造物に取り付けてあるから、壁面部を前記第一状態と第二状態とに状態変更することが可能となる。
従って、例えば、前記一方側空間が室外空間で、他方側空間が室内空間であるとすると、壁面部の室外側面に緑化部が設けてある場合、前記状態変更手段によって壁面部に対して状態変更を行って緑化部が室内側を臨むようにすることができ、室内から簡単に緑化部への水やりやメンテナンスを行うことが可能となる。
その結果、特別な水やり装置を設けなくても、人力で簡単且つ安全な状態で緑化部への水やりやメンテナンスを行うことができ、余分な手間やコストを掛けずに壁面緑化の維持管理を実施することが可能となる。
【０００８】
本発明の第２の特徴構成は、前記状態変更手段は、前記壁面部を縦軸芯周りに揺動自在に支持する揺動軸を備えて構成してあるところにある。
【０００９】
本発明の第２の特徴構成によれば、本発明の第１の特徴構成による上述の作用効果を叶えることができるのに加えて、壁面部を前記揺動軸周りに揺動操作することが可能となる。従って、壁面部を水平（又は水平に近い）方向に揺動操作するだけの簡単な操作によって、前記緑化部の位置替えを行うことが可能となり、操作性が向上する。
また、壁面部の状態変更を水平（又は水平に近い）方向の揺動操作によって実施できるから、それに伴って緑化部も水平（又は水平に近い）方向に移動することができ、例えば、前記緑化部がプランター等の栽培容器に土を入れて構成してある場合であっても、容器内の土や水がこぼれ難い状態で壁面部の移動を行うことができる。
【００１０】
本発明の第３の特徴構成は、前記揺動軸は、前記壁面部の幅の中央部に設けてあり、前記壁面部を表裏反転自在に支持しているところにある。
【００１１】
本発明の第３の特徴構成によれば、本発明の第２の特徴構成による上述の作用効果を叶えることができるのに加えて、壁面部を表裏反転する状態に揺動回転することが可能となる。
従って、例えば、前記一方側空間が室外空間で、他方側空間が室内空間であるとして、壁面部の室外側面に緑化部が設けてある場合、その壁面部を表裏反転操作することで、緑化部を確実に室内側に臨ませることができ、その状態で、室内から簡単に緑化部への水やりやメンテナンスを行うことが可能となる。更には、室外側空間の環境が、緑化部の植栽物に対して好ましくない状態（例えば、高温（又は低温）であったり、強風が吹いていたりと言う状態）の時には、緑化部を室内側に移動させた状態で待機することが可能で、植栽物に対する保護効果を発揮することが可能となる。
また、壁面部を確実に表裏反転させることができるから、構造物の壁開口を壁面部で閉じた状態での水やりやメンテナンスができるから、それらの作業を、例えば、強風時や降雨時でも実施でき、天候に左右されない状態での壁面緑化維持管理を実施することが可能となる。
【００１２】
本発明の第４の特徴構成は、前記状態変更手段は、前記壁面部を前記一方側空間か他方側空間の何れかにスライド自在に支持するスライド機構であるところにある。
【００１３】
本発明の第４の特徴構成によれば、本発明の第１の特徴構成による上述の作用効果を叶えることができるのに加えて、壁面部をスライドによって移動させることができる。そして、壁面部の長さ方向に沿って移動するようにすれば、その移動軌跡の面積を、揺動移動に比べて少なくすることができ、壁面部の移動スペースを省スペース化することが可能となる。従って、例えば、壁面部を室内空間側へスライドさせる場合であれば、壁面部移動用に移動領域を確保するにあたり、その領域を少なくでき、室内空間をより広く使用することができる。
【００１４】
本発明の第５の特徴構成は、前記緑化部は、土を収容自在な容器部と、前記容器部に収容した植栽土とを備えて構成してあるところにある。
【００１５】
本発明の第５の特徴構成によれば、本発明の第１〜４の何れかの特徴構成による上述の作用効果を叶えることができるのに加えて、植栽物の生育の上で人工材に比べてより好ましいとされる植栽土を使用するから、植栽物の生育を促進することが可能となる。また、根から上方に植栽物が伸びると言う自然な生育環境をそのまま緑化部に適用することができるから、植栽物の健全な生育を促進することができる。
そして、メンテナンス時には、植栽土の交換を行うことが簡単に実施でき、メンテナンス性の向上を図ることが可能となる。
【００１６】
本発明の第６の特徴構成は、前記容器部は、底部分が傾斜させて形成してあり、傾斜下手側に、水抜き穴を形成してあるところにある。
【００１７】
本発明の第６の特徴構成によれば、本発明の第５の特徴構成による上述の作用効果を叶えることができるのに加えて、容器部の底部分が傾斜させてあることで、植栽土の中の水は、傾斜に沿って傾斜下手側に集まりやすく、その傾斜下手側に水抜き穴を形成してあるから、容器内に余分な水が溜まるのを前記水抜き穴から排出することで防止できる。従って、植栽物の根腐りを防止し易い。
また、壁面部の状態変更によって前記水抜き穴も移動するから、水の回収を室内側で行うこともできる。
【００１８】
本発明の第７の特徴構成は、前記緑化部は、前記壁面部の表裏両面に各別に設けてあるところにある。
【００１９】
本発明の第７の特徴構成によれば、本発明の第１〜６の何れかの特徴構成による上述の作用効果を叶えることができるのに加えて、壁面部の両側の空間でそれぞれ緑化部を観賞することができ壁面部の両側での美観性がそれぞれ向上する。
従って、例えば、前記一方側空間の緑化部と、他方側空間の緑化部とを、それぞれ同じ種類の植栽物を植えたり、異なった植栽物を植えたりすることができ、前者の場合には、前記壁面部を反転させることで、一方側空間（又は他方側空間）に居ながら、反転の前後で異なる植栽物を観賞することができる。
【００２０】
本発明の第８の特徴構成は、前記緑化部は、土を収容自在な容器部と、前記容器部に収容した植栽土とを備えて構成してあり、前記壁面部の表裏の各容器部は、連通状態に形成してあるところにある。
【００２１】
本発明の第８の特徴構成によれば、本発明の第７の特徴構成による上述の作用効果を叶えることができるのに加えて、壁面部の表裏の各容器部どうしは連通状態となり、一方側の緑化部に水やりをするだけで、他方側の緑化部にも水が周り、水やりの手間を少なくすることができる。
また、植栽物の根が伸びる範囲が、両容器部に広がるから、植栽物の生育を促進することが可能となる。
【００２２】
本発明の第９の特徴構成は、前記壁面部は、ガラス窓であるところにある。
【００２３】
本発明の第９の特徴構成によれば、本発明の第１〜８の何れかの特徴構成による上述の作用効果を叶えることができるのに加えて、壁面部を通した光の流通を確保できるようになり、室内側、室外側の何れに緑化部があっても、充分な太陽光を浴びて健全に生育することが可能となる。
また、ガラス窓を通して、一方側から他方側、又は、他方側から一方側の緑化部を観賞することができ、より美観性を向上させることが可能となる。
【発明を実施するための最良の形態】
【００２４】
以下に本発明の実施の形態を図面に基づいて説明する。尚、図面において従来例と同一の符号で表示した部分は、同一又は相当の部分を示している。
【００２５】
図１は、本発明の壁面緑化構造の一実施形態を採用した建物の外壁（構造物に相当）Ｂ部分を示すもので、外壁Ｂには、複数のガラス窓（壁面部に相当）Ｗがそれぞれ間隔をあけて設けられている。
ガラス窓Ｗは、図２、図３に示すように、第一サッシ１にガラス板Ｇを嵌めて構成してあり、窓縁部の壁躯体部分に固着された第二サッシ２に、この第一サッシ１が取り付くことで窓が形成されている。
また、ガラス窓Ｗの下端部には、表面、裏面何れにも、緑化部３が設けてある。
【００２６】
前記第一サッシ１と第二サッシ２との取り付きは、両サッシの上下各縁部における幅方向中央部に形成された枢支部によって一体化されている。本実施形態においては、第一サッシ１に、第二サッシ２に向けて突出した揺動軸（状態変更手段に相当）１ａを設け、第二サッシ２の対応部に、前記揺動軸１ａを相対回転自在に支持する軸受け部２ａを設け、この両者の嵌合によって枢支部が構成されている。
従って、ガラス窓Ｗは、揺動軸１ａ周りに半回転させることができ、半回転させた状態では、当初のガラス窓Ｗの表裏が反転した状態となる。尚、図には示さないが、ガラス窓Ｗは、当初の閉まっている状態、及び、反転して閉まった状態、及び、それらの間で窓が開いている状態の何れでもロックできるように構成されている。
【００２７】
前記緑化部３は、土を収容自在な容器部４と、前記容器部４に収容した植栽土５と、植栽土５に植え付けた植栽物６とで構成してある。
前記容器部４は、前記ガラス窓Ｗの平面回転軌跡内に納まる寸法設定で構成してあり、前記第一サッシ１に固着してある。容器部４の材質は、当該実施形態においては合成樹脂で構成してあり、他に、例えば、金属や、石材、コンクリート、モルタル、タイル、陶磁器等の単独、若しくはそれらの組み合わせによるものであってもよい。
また、容器部４は、上方が開口しており、前記植栽物６がこの開口を通して上方に生育することができる。一方、底部分は、図に示すように、一方向に傾斜させて形成してあり、その傾斜下手側に、開閉自在な水抜き穴７が設けてある。従って、この水抜き穴７から容器部４内に溜まった水を排出することができ、根腐り防止を図ることが可能となる。
前記植栽物６は、あらゆる草木を対象とすることができ、前記容器部４内に植え付けられた状態で、前記ガラス窓Ｗの平面回転軌跡内に納まるように切り揃えられている。当該実施形態においては、ガラス窓Ｗの当初の閉まっている状態での室外側の緑化部３ａと、室内側の緑化部３ｂとでは、植栽物６の種類を異ならせてある。従って、前述のようにガラス窓Ｗを反転させることで、これら異なる各植栽物６を、居ながらにして観賞することができる。
【００２８】
本実施形態の壁面緑化構造によれば、ガラス窓Ｗを反転させることによって、室外側の緑化部３ａがそのまま室外側空間（一方側空間に相当）Ｖ１に臨む（又は、室内側の緑化部３ｂがそのまま室内側空間Ｖ２に臨む）第一状態と、室内側空間（他方側空間に相当）Ｖ２に臨む（又は、室内側の緑化部３ｂが室外側空間Ｖ１に臨む）第二状態とに簡単に切り替えることができる。
その結果、緑化部への水やりやメンテナンスを、室内から簡単に行うことが可能となり、余分な手間やコストを掛けずに壁面緑化の維持管理を実施することが可能となる。
【００２９】
〔別実施形態〕
以下に他の実施の形態を説明する。
【００３０】
〈１〉  前記壁面部Ｗは、先の実施形態で説明した窓ガラスに限るものではなく、例えば、金属や、タイル、石材、コンクリート、モルタル、合成樹脂等の材料の単体や、それらの組み合わせで構成されたものであってもよく、それらを総称して壁面部と言う。
〈２〉  前記状態変更手段１ａは、先の実施形態で説明したように、壁面部の上下縁部の中央部に設けられた揺動軸に限るものではなく、例えば、図４に示すように、壁面部の上下縁部の左右何れか一方側に偏って設けられた揺動軸であってもよく、この場合は、ドア感覚の開閉操作で、一方側空間に臨む緑化部３ａを、他方側空間に臨む状態に壁面部の状態を変更することが可能となる。
また、図には示さないが、揺動軸を縦軸芯として配置してあるものに限らず、例えば、横軸芯周りに壁面部Ｗを揺動支持できるように配置してあってもよい。
更には、状態変更手段１ａは、揺動と言った手段によって壁面部の状態変更を行えるように構成されたものに限らず、例えば、図５に示すように、レール８ａと車輪８ｂとの組み合わせによって壁面部をスライド移動して状態変更を図れるように構成したスライド機構等であってもよい。
以上全てを総称して状態変更手段という。
〈３〉  前記緑化部３は、先の実施形態で説明した壁面部Ｗの両面部に各別に設けた容器部と植栽土とで構成されたものに限るものではなく、壁面部Ｗの何れか一方の面にのみ形成してあるものであってもよい。
また、緑化部３を壁面部Ｗの両面部に設ける場合であっても、例えば、図６に示すように、両面部に露出した容器部４どうしを内空が連通する状態に形成してあってもよい。この場合は、何れか一方の容器部４から水やりをすれば、連通部４Ａを通して他方にも水が廻るから、水やりの手間を軽減することができる。更には、植栽物の根が、連通部４Ａを通して一方から他方（又は、他方から一方）へ伸びることが可能となり、生育しやすい環境となる。そして、容器部４の底板の傾斜を、一方側の容器部に傾くように設定して、前述の水抜き穴７を、一方側の容器部の傾斜下手部に形成してあれば、他方側の容器部の水はけを向上させることができる。
また、緑化部３は、容器以外の形態を採用することも可能で、例えば、壁面部Ｗ表面に沿った板状に加工された緑化ボード等であってもよい。
以上を総称して緑化部と言う。
〈４〉  前記壁面部Ｗの設置位置は、先の実施形態で説明した外壁に限るものではなく、例えば、建物内の仕切壁等であってもよい。特に、一方側は吹き抜け空間で、他方側が部屋となっているような場所には効果的である。
【００３１】
尚、上述のように、図面との対照を便利にするために符号を記したが、該記入により本発明は添付図面の構成に限定されるものではない。
【図面の簡単な説明】
【００３２】
【図１】建物要部の外観を示す斜視図
【図２】ガラス窓を示す断面図
【図３】ガラス窓の作用を示す平面視説明図
【図４】別実施形態の壁面緑化構造を示す平面視説明図
【図５】別実施形態の壁面緑化構造を示す平面視説明図
【図６】別実施形態の壁面緑化構造を示す断面図
【図７】従来の壁面緑化構造を示す断面図
【符号の説明】
【００３３】
１ａ    揺動軸（状態変更手段に相当）
３      緑化部
４      容器部
５      植栽土
７      水抜き穴
Ｂ      外壁（構造物に相当）
Ｖ１    室外側空間（一方側空間に相当）
Ｖ２    室内側空間（他方側空間に相当）
Ｗ      ガラス窓（壁面部に相当）
【図１】
2005068713.tif 000003
【図２】
2005068713.tif 000004
【図３】
2005068713.tif 000005
【図４】
2005068713.tif 000006
【図５】
2005068713.tif 000007
【図６】
2005068713.tif 000008
【図７】
2005068713.tif 000009